(57)【要約】【課題】ワイピング機能を有する多接点コネクタを小型化する。【解決手段】多接点コネクタ１は、フロント端子８とリア端子９を有する。フロント端子８とリア端子９はハウジング２の１つの端子収容溝６ｄに相互に分離した状態で独立して収容される。これにより従来の多接点コネクタの端子のように、フロント接点部とリア接点部とに分岐する部分がなく、ハウジング２にそのような分岐部分を収容する部位が不要であるため、多接点コネクタ１を小型化できる。【選択図】図３
2018174133.tif 000002
【特許請求の範囲】
【請求項１】
接続対象物を挿入する嵌合室を有するハウジングと、
前記ハウジングに保持される信号用の多接点端子と、
前記ハウジングに保持される電源用の多接点端子とを備え、
前記信号用の多接点端子と前記電源用の多接点端子は、
前記ハウジングに保持される平板状のフロント伸長部と、前記嵌合室に挿入される前記接続対象物と接触するフロント接点部とを有するフロント端子と、
前記ハウジングに保持される平板状のリア伸長部と、前記接続対象物の挿入方向における前記フロント接点部の延長上位置にリア接点部を有するリア端子と、をそれぞれ備える多接点コネクタにおいて、
前記ハウジングは、前記嵌合室に連通し、前記フロント端子と前記リア端子とを分離した状態で共に収容する１つの端子収容溝を有しており、
前記フロント端子と前記リア端子は、それぞれ前記端子収容溝から伸長して基板が有する１つの回路接点に対して導通接続する基板接続部を有することを特徴とする多接点コネクタ。
【請求項２】
前記電源用の多接点端子のフロント接点部は二股形状である請求項１記載の多接点コネクタ。
【請求項３】
前記電源用の多接点端子のリア接点部は二股形状である請求項１又は請求項２記載の多接点コネクタ。
【請求項４】
前記ハウジングは、
複数の前記信号用の多接点端子を配列する複数の前記端子収容溝と、前記端子収容溝に収容した前記信号用の多接点端子の前記フロント接点部と前記リア接点部とが突出する前記嵌合室とを有する信号用接続部と、
複数の前記電源用の多接点端子を配列する複数の前記端子収容溝と、前記端子収容溝に収容した前記電源用の多接点端子の前記フロント接点部と前記リア接点部とが突出する前記嵌合室とを有する電源用接続部とを有する請求項１〜請求項３何れか１項記載の多接点コネクタ。
【発明の詳細な説明】
【技術分野】
【０００１】
本発明は、フロント端子のフロント接点部とリア端子のリア接点部とが接続対象物に対して接触する多接点コネクタに関する。
【背景技術】
【０００２】
コネクタに求められる基本性能として接続信頼性がある。この接続信頼性を高めるべく、フロント接点部を有するフロント端子と、リア接点部を有するリア端子とを備えており、異物のワイピング機能を有する多接点コネクタが知られている（特許文献１、特許文献２、特許文献３）。多接点コネクタは、フロント端子のフロント接点部が接続対象物に接触した後、接続対象物の挿入方向におけるフロント接点部の延長上位置にあるリア端子のリア接点部が接続対象物と接触する。したがってフロント接点部によって接続対象物に付着する異物が除去された後にリア接点部が接続対象物と接触できるため、接続信頼性の高い導通接続を実現することができる。
【先行技術文献】
【特許文献】
【０００３】
【特許文献１】特開２００１−２３７１１号公報、図２、図３、図８
【特許文献２】特開２０１６−１７３９９８号公報、図１、図４
【特許文献３】特公昭４７−４１７１４号公報、図１１〜図１３
【発明の概要】
【発明が解決しようとする課題】
【０００４】
前述のフロント接点部とリア接点部を設ける端子構造には、例えば特許文献１、特許文献２で示すように、端子の長手方向の途中で屈曲する分岐部分を設けることでフロント接点部とリア接点部を設けるものがある。しかしながら、このような分岐部分を設ける端子構造では、分岐部分によって端子が大型化し、それを収容する多接点コネクタも大型化するという不都合がある。また、分岐部分は通常金型成形によって屈曲して形成するが、小型化し難いという不都合もある。
【０００５】
その他の端子構造としては、特許文献３で示すように、フロント接点部を有するフロント端子と、リア接点部を有するリア端子とを別々に設け、それらを組み合わせて一体化することで１つの端子として構成するものがある。しかしながら、こうした端子では、別体であるフロント端子とリア端子とを一体化する製造工程が必要となり、またフロント端子とリア端子とを一体化する組立工程に起因して一体化した端子の寸法精度にばらつきが発生しやすいため小型化し難いという不都合がある。
【０００６】
以上のような従来技術を背景になされたのが本発明である。その目的はワイピング機能を有する多接点コネクタを小型化することにある。
【課題を解決するための手段】
【０００７】
上記目的を達成すべく本発明は以下の特徴を有するものとして構成される。
【０００８】
本発明は、接続対象物を挿入する嵌合室を有するハウジングと、前記ハウジングに保持される平板状のフロント伸長部と、前記嵌合室に挿入される前記接続対象物と接触するフロント接点部とを有するフロント端子と、前記ハウジングに保持される平板状のリア伸長部と、前記接続対象物の挿入方向における前記フロント接点部の延長上位置にリア接点部を有するリア端子と、を備える多接点コネクタについて、前記ハウジングは、前記嵌合室に連通し、前記フロント端子と前記リア端子とを分離した状態で共に収容する１つの端子収容溝を有しており、前記フロント端子と前記リア端子は、それぞれ前記端子収容溝から伸長して基板が有する１つの回路接点に対して導通接続する基板接続部を有することを特徴とする多接点コネクタを提供する。この本発明の多接点コネクタは、前記ハウジングに保持される複数の信号用の多接点端子と、前記ハウジングに保持される電源用の多接点端子とを備えており、前記信号用の多接点端子と前記電源用の多接点端子が、前記フロント端子と前記リア端子とを有するものとして構成することができる。
【０００９】
本発明の多接点コネクタによれば、フロント端子のフロント接点部が接続対象物に接触した後、接続対象物の挿入方向におけるフロント接点部の延長上位置にあるリア端子のリア接点部が接続対象物と接触する。したがってフロント接点部によって接続対象物に付着する異物が除去された後にリア接点部が接続対象物と接触できるため、接続信頼性の高い導通接続を実現することができる。
【００１０】
これに加えて、フロント端子とリア端子はハウジングに設けられた１つの端子収容溝に相互に分離した状態で独立して収容されているので、従来の多接点コネクタのような端子の基端側から伸長する途中でフロント接点部とリア接点部とに分岐する部分がなく、ハウジングに分岐部分を収容する部位が不要であり、多接点コネクタを小型化することができる。また、分岐部分がないため、端子構造が複雑にならず製造も容易である。
【００１１】
さらにフロント端子とリア端子は、それぞれ前記端子収容溝から伸長して基板が有する１つの回路接点に対して導通接続する基板接続部を有する。このようにフロント端子の基板接続部とリア端子の基板接続部とがそれぞれ独立して１つの回路接点に導通接続するため、フロント端子又はリア端子の何れか一方の基板接続部に回路接点に対する不具合が生じても、他方の基板接続部により導通接続を維持できるため、高い接続信頼性を維持することができる。また、フロント端子とリア端子の各基板接続部が１つの回路接点に導通接続する。こうした導通接続は、例えばはんだ付けによりなされるが、各基板接続部を一体としてはんだ付けできるため、はんだ付け部の剥離強度を高めることができる。
【００１２】
前記本発明による前記フロント端子の前記基板接続部と前記リア端子の前記基板接続部は、前記回路接点にはんだ付けする接触部と、前記端子収容溝から前記接触部まで相互に異方向に伸長する部位を有する脚部とをそれぞれ有するように構成できる。
【００１３】
接続対象物を嵌合室に挿入する際には、嵌合室に接続対象物が真っ直ぐに挿入されるのが理想である。しかしながら、接続対象物が三次元方向に傾いて挿入されることも多く、多接点コネクタには多様な方向からの接続対象物の挿入力が作用する。この場合に、フロント端子の脚部とリア端子の脚部が同一形状であると、すべての脚部が同じように変形してしまうことから、様々な方向からの挿入力を脚部で受け止めるのが難しく、場合によっては接触部と回路接点に固定するはんだ付け部に応力が集中してクラックが発生する等の不具合が生じるおそれがある。
【００１４】
これに対して本発明のフロント端子とリア端子によれば、フロント端子の脚部とリア端子の脚部が相互に異方向に伸長する部分を有している。このため、接続対象物が斜めに挿入された場合でも相互に異方向に伸長する部位を有する少なくとも何れかの脚部が突っ張ることで挿入力を受けとめて、はんだ付け部に作用する挿入力を緩和することができる。
【００１５】
前記端子収容溝については、前記フロント伸長部の平板状の板面と前記リア伸長部の平板状の板面とを前記端子収容溝の溝幅方向に沿わせて収容するとともにそれらの板面どうしが対向するように収容するように構成できる。
【００１６】
本発明の端子収容溝によれば、フロント伸長部の平板状の板面とリア伸長部の平板状の板面とを、端子収容溝の溝幅方向に沿わせつつそれらの板面どうしが対向位置するようにして収容する。これにより端子収容溝の深さ方向や溝幅方向でフロント伸長部の板面とリア伸長部の板面とが面方向で横並びになるように収容する場合と比較して、多接点コネクタを小型化できる。
【００１７】
前記端子収容溝については、前記嵌合室と連通する前記端子収容溝の開口側に設けられ、前記リア伸長部の板面が前記端子収容溝の溝幅方向に沿うように前記リア伸長部を圧入するリア端子用固定溝と、前記リア端子用固定溝よりも前記端子収容溝の溝底面側に設けられ、前記フロント伸長部の板面が前記端子収容溝の溝幅方向に沿うように前記フロント伸長部を圧入するフロント端子用固定溝とを有するように構成できる。
【００１８】
本発明のハウジングによれば、フロント端子用固定溝にフロント伸長部が圧入固定され、リア端子用固定溝にリア伸長部が圧入固定されるので、フロント端子とリア端子とを嵌合室に対する奥側位置と手前側位置に端子収容溝の深さ方向で位置をずらして１つの端子収容溝に収容できるので、多接点コネクタを小型化することができる。
【００１９】
前記リア伸長部については、前記リア接点部側に形成され前記ハウジングに固定される先端側リア固定突起と、前記基板接続部側に形成された基端側リア固定突起とを有し、前記先端側リア固定突起については、前記基端側リア固定突起よりも前記リア伸長部の長さ方向で長く形成されているように構成できる。
【００２０】
本発明のリア端子によれば、リア伸長部を先端側リア固定突起と基端側リア固定突起の複数箇所でハウジングに確実に固定することができる。また、リア接点部側にある先端側リア固定突起は基端側リア固定突起よりもリア伸長部の長さ方向で長く形成されているため、接続対象物に対するリア接点部の接触圧が大きい場合でも、固定長が長い先端側リア固定突起によって大きな接触圧を生じるリア接点部の基端側を強固に支持することができる。
【発明の効果】
【００２１】
本発明の多接点コネクタによれば、異物のワイピング機能を発揮することによる接続信頼性を有しながらも、フロント端子とリア端子とを１つの端子収容溝に分離させて独立配置することによりコネクタ全体を小型化することができる。
【図面の簡単な説明】
【００２２】
【図１】一実施形態による多接点コネクタの正面図。
【図２】図１の平面図。
【図３】図１のＩＩＩ−ＩＩＩ線断面図。
【図４】図１の信号用の多接点端子を構成するフロント端子とリア端子の正面、右側面、平面を含む外観斜視図。
【図５】図４のフロント端子とリア端子を示す図であり、分図（ａ）は正面図、分図（ｂ）は右側面図、分図（ｃ）は接触部と基板の回路接点のはんだ付け部を示す断面図。
【図６】図１の電源用の多接点端子を構成するフロント端子とリア端子の正面、右側面、平面を含む外観斜視図。
【発明を実施するための形態】
【００２３】
以下、本発明の多接点コネクタの一実施形態について図面を参照しつつ説明する。この明細書、特許請求の範囲では、説明の便宜上、多接点コネクタの幅方向をＸ方向、奥行き方向（前後方向）をＹ方向、高さ方向（上下方向）をＺ方向として説明するが、それらは多接点コネクタの実装方法や使用方法を限定するものではない。
【００２４】
多接点コネクタ１は、ハウジング２、複数の信号用の多接点端子３、複数の電源用の多接点端子４、固定金具５を備えており、基板Ｐにはんだ付けして実装固定され、接続対象物と基板Ｐの回路とを導通接続する。多接点コネクタ１は本実施形態ではソケットコネクタとして構成されており、「接続対象物」はプラグコネクタ（以下、「相手方コネクタ」という。）となる。「接続対象物」はプラグコネクタのようなコネクタに限定されず、硬質基板、ＦＰＣ、ＦＦＣ等の平型導体、ピン端子等の端子でもよい。
【００２５】
ハウジング２〔図１〜図３〕
ハウジング２は、樹脂成形体で形成され、左右の信号用接続部６と、中央の電源用接続部７とを有する。
【００２６】
信号用接続部６には複数の信号用の多接点端子３がＸ方向に沿って並べて配置されており且つＹ方向で２列に配列されている。これと同様に電源用接続部７にも複数の電源用の多接点端子４がＸ方向に沿って並列に且つＹ方向で２列に配置されている。
【００２７】
ハウジング２の信号用接続部６には、その信号用の多接点端子３を構成するフロント端子８とリア端子９が相互に接触せず独立して配置されている。これと同様にハウジング２の電源用接続部７には、電源用の多接点端子４を構成するフロント端子１０とリア端子１１が相互に接触せず分離して配置されている。したがって従来の多接点コネクタの端子のようにフロント接点部とリア接点部とに分かれる分岐部分がなく、ハウジング２に分岐部分を収容する部位が不要である。これにより多接点コネクタ１を小型化することができる。
【００２８】
信号用接続部６と電源用接続部７には、相手方コネクタ１５が挿入されて嵌合接続する嵌合室６ａ、７ａがそれぞれ形成されている。信号用接続部６の嵌合室６ａと電源用接続部７の嵌合室７ａの構造は寸法を除き同じように形成されている。したがって以下では重複説明を避けるため信号用接続部６のみを取り上げて説明する。
【００２９】
信号用接続部６の嵌合室６ａには、相手方コネクタ１５の挿入口６ｂが形成されており、挿入方向（Ｚ方向の下向き）の奥側には相手方コネクタ１５の挿入を規制する底壁６ｃが形成されている。
【００３０】
信号用接続部６には、嵌合室６ａに連通する複数の端子収容溝６ｄが形成されている。それらの複数の端子収容溝６ｄは同一構造とされている。なお電源用接続部７にも、端子収容溝６ｄと同一構造であり電源用の多接点端子４に合わせた寸法の端子収容溝（図示略）が形成されている。
【００３１】
隣接する端子収容溝６ｄはＹ方向で嵌合室６ａに向けて突出する隔壁６ｅによって仕切られており、これにより隣接する信号用の多接点端子３どうしが電気的に絶縁されている。対向する隔壁６ｅどうしの間の内部空間が嵌合室６ａとなる。また隔壁６ｅは、端子収容溝６ｄの深さ方向（Ｙ方向）に沿う溝側面を構成する。
【００３２】
隔壁６ｅには、信号用の多接点端子３における後述するフロント端子８のフロント伸長部８ｃを圧入するフロント端子用固定溝６ｆと、リア端子９のリア伸長部９ｃを圧入するリア端子用固定溝６ｇとが、Ｚ方向に沿って平行に形成されている。フロント端子用固定溝６ｆとリア端子用固定溝６ｇは、対向する隔壁６ｅにそれぞれ形成されている。これによりフロント端子８とリア端子９は、フロント伸長部８ｃとリア伸長部９ｃの平板形状の板面がそれぞれ端子収容溝６ｄの溝幅方向（Ｘ方向）に沿うように配置され、且つそれらの板面どうしが端子収容溝６ｄの内部で平行に対向して配置される。これにより、例えば端子収容溝６ｄの深さ方向（Ｙ方向）でフロント伸長部８ｃの板面とリア伸長部９ｃの板面とを面方向で横並びに収容するように多接点コネクタを構成する場合や、端子収容溝６ｄの溝幅方向（Ｘ方向）でフロント伸長部８ｃの板面とリア伸長部９ｃの板面とを面方向で横並びに収容するように多接点コネクタを構成する場合と比べて、多接点コネクタ１を小型化することが可能となる。より具体的には、端子収容溝６ｄは、平行なフロント伸長部８ｃとリア伸長部９ｃの板厚を収容できれば良いので、その深さは前記深さ方向で板面が連なる前記比較例の多接点コネクタよりも浅く形成することができ、これによりＹ方向でハウジング２を小型化することができる。また、端子収容溝６ｄは、フロント伸長部８ｃとリア伸長部９ｃの何れか大きい方の板幅を収容できれば良いので、その溝幅は前記溝幅方向で板面が連なる前記比較例の多接点コネクタよりも狭く形成することができ、これによりＸ方向でハウジング２を小型化することができる。
【００３３】
フロント端子用固定溝６ｆは、端子収容溝６ｄの溝底面６ｈに沿って形成されている。これによりフロント端子８は、フロント伸長部８ｃの一方面側が溝底面６ｈに面するように配置されている。したがってフロント接点部８ａはフロント端子用固定溝６ｆを超えて溝底面６ｈ側に変位しないので、端子収容溝６ｄを深さ方向で浅く形成することができる。他方、リア端子用固定溝６ｇは、嵌合室６ａと隣接する端子収容溝６ｄの開口６ｉ側に形成されており、リア端子９はフロント端子８と同様にリア接点部９ａと弾性アーム９ｂがフロント端子８に向けて変位し、リア伸長部９ｃはリア端子用固定溝６ｇを超えてフロント端子８側に変位しないので、リア端子用固定溝６ｇとフロント端子用固定溝６ｆとの間の距離をできるだけ短くすることができ、端子収容溝６ｇを深さ方向で浅く形成することができる。
【００３４】
信号用の多接点端子３〔図３〜図５〕
信号用の多接点端子３は、フロント端子８とリア端子９とを組み合わせた端子対として構成されている。フロント端子８には山状に屈曲するフロント接点部８ａが、リア端子９には山状に屈曲するリア接点部９ａが設けられている。フロント接点部８ａとリア接点部９ａは、いずれもロール面として形成されており、端子収容溝６ｄの開口６ｉから嵌合室６ａに突出する。そしてフロント接点部８ａが相手方コネクタ１５の相手端子１６の平坦な端子面１６ａとロール面で接触した後、相手方コネクタ１５の挿入方向（Ｚ方向）におけるフロント接点部８ａの延長上位置にあるリア接点部９ａが相手端子１６の端子面１６ａとロール面で接触する。したがってフロント接点部８ａによって端子面１６ａに付着する繊維状の基板カスや塵、埃等の異物が除去された後にリア接点部９ａが端子面１６ａと接触できるため、異物によって導通性が損なわれない接続信頼性の高い導通接続を実現することができる。また、板縁が端子面１６ａと接触する切断面接触ではなく、板面が端子面１６ａと接触するロール面接触であるため、端子面１６ａのめっきを傷つけないように接触することができる。
【００３５】
フロント端子８には、端子収容溝６ｄの溝底面６ｈから斜めに伸長してフロント接点部８ａの基端側に繋がる弾性アーム８ｂを有している。弾性アーム８ｂは、フロント接点部８ａを変位させるばね片として機能する。弾性アーム８ｂの基端側には、溝底面６ｈに沿って配置されるフロント伸長部８ｃの先端が繋がっている。
【００３６】
フロント伸長部８ｃは平板状に形成されており、その板縁には先端側フロント固定突起８ｃ１と基端側フロント固定突起８ｃ２が形成されている。このようにフロント伸長部８ｃが長さ方向で離間する２カ所でフロント端子用固定溝６ｆに固定されることで、相手方コネクタ１５と押圧接触してもフロント端子８が回転するような不具合がなく、フロント端子８をハウジング２に確実に固定することができる。先端側フロント固定突起８ｃ１は、基端側フロント固定突起８ｃ２よりも板幅が狭くなっている。これに応じてフロント端子用固定溝６ｆも先端側フロント固定突起８ｃ１を挟持する部分が、基端側フロント固定突起８ｃ２を挟持する部分よりも狭く形成されている。これによりフロント端子用固定溝６ｆに挿入し始めたときには先端側フロント固定突起８ｃ１を圧入する必要がないので、フロント端子８をスムーズに圧入することができる。
【００３７】
フロント伸長部８ｃの基端側にはクランク状に屈曲する基板接続部８ｄが形成されている。基板接続部８ｄには、脚部８ｅと、基板Ｐにはんだ付けする接触部８ｆが形成されている。脚部８ｅには、上側屈曲部８ｅ１、横片部８ｅ２、中間屈曲部８ｅ３、縦片部８ｅ４、接触部８ｆに繋がる下側屈曲部８ｅ５が形成されている。縦片部８ｅ４の途中から下側屈曲部８ｅ５までは板幅が細くなるようにリア端子９と隣接する側の板縁を欠如する逃げ部８ｅ６が形成されている。この逃げ部８ｅ６を形成した部分は接触部８ｆと同じ板幅となっている。
【００３８】
リア端子９には、山状に屈曲するリア接点部９ａの基端側と繋がる弾性アーム９ｂが形成されている。弾性アーム９ｂの基端側はリア伸長部９ｃに繋がっている。
【００３９】
リア伸長部９ｃは平板状に形成されており、その板縁には先端側リア固定突起９ｃ１と基端側リア固定突起９ｃ２が形成されている。これらの先端側リア固定突起９ｃ１と基端側リア固定突起９ｃ２がリア伸長部９ｃの長さ方向で離間してリア端子用固定溝６ｇに固定されることで、相手方コネクタ１５と押圧接触してもリア端子９が回転するような不具合がなく、リア端子９をハウジング２に確実に固定することができる。また、先端側リア固定突起９ｃ１は、基端側リア固定突起９ｃ２よりも板幅が狭くなっており、これにより前述したフロント端子８の場合と同様に、リア端子９をリア端子用固定溝６ｇにスムーズに圧入できるようにされている。
【００４０】
さらに、先端側リア固定突起９ｃ１は、基端側リア固定突起９ｃ２よりもリア伸長部９ｃの長さ方向で長く形成されている。このため相手方コネクタ１５に対するリア接点部９ａの接触圧を大きく設定した場合でも、リア端子用固定溝６ｇが割れたりすることなく、圧入固定長が長い先端側リア固定突起９ｃ１によって大きな接触圧を生じるリア接点部９ａの基端側を強固に支持することができる。
【００４１】
リア伸長部９ｃの基端側にはクランク状に屈曲する基板接続部９ｄが形成されている。基板接続部９ｄには、脚部９ｅと、基板Ｐにはんだ付けする接触部９ｆが形成されている。脚部９ｅには、上側屈曲部９ｅ１、横片部９ｅ２、中間屈曲部９ｅ３、傾斜片部９ｅ４、接触部９ｆに繋がる下側屈曲部９ｅ５が形成されている。中間屈曲部９ｅ３から下側屈曲部９ｅ５までは板幅が細くなるようにフロント端子８の脚部８ｅと隣接する側の板縁を欠如する逃げ部９ｅ６が形成されている。この逃げ部９ｅ６を形成した部分は接触部９ｆと同じ板幅となっている。
【００４２】
この板幅の細い逃げ部９ｅ６と、前述のフロント端子８の逃げ部８ｅ６との間には隙間が形成されており、リア端子９の脚部９ｅは、傾斜片部９ｅ４がフロント端子８の脚部８ｅ（逃げ部８ｅ６をなす縦片部８ｅ４の板幅方向に沿う欠如下縁の下側）を潜り抜けるようにして伸長し、その先の下側屈曲部９ｅ５と接触部９ｆは、フロント端子８の下側屈曲部８ｅ５及び接触部８ｆと並列に伸長する。並列に配置したならば板面どうしが重なる部分に逃げ部８ｅ６、９ｅ６を設け、基板接続部８ｄ、９ｄの板幅を拡げることなく、脚部８ｅ、９ｅの途中から接触部８ｆ、９ｆを並列に配置することで、信号用の多接点端子３を狭ピッチで配置することが可能であり、多接点コネクタ１をＸ方向で小型化することができる。
【００４３】
電源用の多接点端子４〔図６〕
電源用の多接点端子４は、信号用の多接点端子３と同様の基本構成であるため重複説明を省略するが、電源用の接点端子４ではフロント端子１０のフロント接点部１０ａとリア端子１１のリア接点部１１ａが二股形状となっている点が信号用の多接点端子３と相違する。このように二股形状のフロント接点部１０ａ、リア接点部１１ａとすることで大きな電流を流すことができ、また二股形状の一方が接触できなくても他方が接触できることで、導通接触の信頼性を高めることができる。
【００４４】
多接点コネクタ１の使用方法
以上のような多接点コネクタ１は、信号用の多接点端子３の接触部８ｆ，９ｆと、電源用の多接点端子４の接触部と、ハウジング２のＸ方向における両側面に設けた固定金具５とが基板Ｐにはんだ付けされることで、基板Ｐの回路に導通接続するとともに固定される。
【００４５】
フロント端子８の接触部８ｆとリア端子９の接触部９ｆは、図５（ｃ）のように基板Ｐの１つの回路接点Ｐ１に対してはんだ付け部Ｐ２により導通接続される。このためフロント端子８又はリア端子９の何れか一方の接触部８ｆ、９ｆに回路接点Ｐ１に対する導通不良が生じても、その何れか他方によって導通接続を維持できるため、高い接続信頼性を維持することができる。また、接触部８ｆ、９ｆを一体として１つの回路接点Ｐ１にはんだ付けするため、はんだ付け部Ｐ２の剥離強度を高めることができる。
【００４６】
そしてハウジング２の挿入口６ｂ、７ｂから嵌合室６ａ、７ａに相手方コネクタ１５が挿入されることで、相手端子１６の端子面１６ａがフロント端子８のフロント接点部８ａに接触してからリア端子９のリア接点部９ａと接触する。その間、フロント接点部８ａは端子面１６ａと摺動接触し続けるので、端子面１６ａに付着している異物をワイピングして除去することができる。これにより少なくともリア接点部９ａの接触信頼性を高めることができる。
【００４７】
このような多接点端子３、４によるワイピング機構を備えながらも、フロント端子８とリア端子９とを、それらの板幅と同等の溝幅をもつ１つの端子収容溝６ｄに分離させて独立配置することにより、多接点コネクタ１の全体を小型化することができる。
【００４８】
相手方コネクタ１５を嵌合室６ａ、７ａに挿入する際には、嵌合室６ａ、７ａに相手方コネクタ１５が真っ直ぐに挿入されるのが理想である。しかしながら相手方コネクタ１５が傾斜して挿入されることも多く、そうすると多接点コネクタ１には多様な方向からの挿入力が作用する。この場合、フロント端子８の脚部８ｅとリア端子９の脚部９ｅが同一形状であると、すべての脚部８ｅ、９ｅが同じように変形してしまうことから、様々な方向からの挿入力を受け止めるのが難しく、その結果、はんだ付け部Ｐ２に応力が集中してクラックが発生する等の不具合が生じるおそれがある。
【００４９】
しかしながら本実施形態の多接点コネクタ１では、フロント端子８の脚部８ｅとリア端子９の脚部９ｅが相互に異方向に伸長する部分を有する形状である。具体的にはリア端子９には、フロント端子８の脚部８ｅにはない傾斜片部９ｅ４が形成されている。このため相手方コネクタ１５が斜めに挿入された場合でも、異方向に伸長する少なくとも何れかの脚部８ｅ、９ｅによって突っ張らせることができ、はんだ付け部Ｐ２への応力集中を緩和し、脚部８ｅ、９ｅによって様々な方向からの挿入力を受け止めることができる。
【符号の説明】
【００５０】
１      多接点コネクタ
２      ハウジング
３      信号用の多接点端子
４      電源用の多接点端子
５      固定金具
６      信号用接続部
６ａ    嵌合室
６ｂ    挿入口
６ｃ    底壁
６ｄ    端子収容溝
６ｅ    隔壁
６ｆ    フロント端子用固定溝
６ｇ    リア端子用固定溝
６ｈ    溝底面
６ｉ    開口
７      電源用接続部
７ａ    嵌合室
７ｂ    挿入口
８      フロント端子（信号用の多接点端子）
８ａ    フロント接点部
８ｂ    弾性アーム
８ｃ    フロント伸長部
８ｃ１  先端側フロント固定突起
８ｃ２  基端側フロント固定突起
８ｄ    基板接続部
８ｅ    脚部
８ｅ１  上側屈曲部
８ｅ２  横片部
８ｅ３  中間屈曲部
８ｅ４  縦片部
８ｅ５  下側屈曲部
８ｅ６  逃げ部
８ｆ    接触部
９      リア端子（信号用の多接点端子）
９ａ    リア接点部
９ｂ    弾性アーム
９ｃ    リア伸長部
９ｃ１  先端側リア固定突起
９ｃ２  基端側リア固定突起
９ｄ    基板接続部
９ｅ    脚部
９ｅ１  上側屈曲部
９ｅ２  横片部
９ｅ３  中間屈曲部
９ｅ４  傾斜片部
９ｅ５  下側屈曲部
９ｅ６  逃げ縁部
９ｆ    接触部
１０      フロント端子（電源用の多接点端子）
１０ａ    フロント接点部
１１      リア端子（電源用の多接点端子）
１１ａ    リア接点部
１５      相手方コネクタ（接続対象物）
１６      相手端子
１６ａ    端子面
Ｐ      基板
Ｐ１    回路接点
Ｐ２    はんだ付け部
【図１】
2018174133.tif 000003
【図２】
2018174133.tif 000004
【図３】
2018174133.tif 000005
【図４】
2018174133.tif 000006
【図５】
2018174133.tif 000007
【図６】
2018174133.tif 000008